(57)【要約】  【課題】長靴やブーツなどの筒部の頂部付近を内側からしっかりと突っ張るようにして保形効果を高めた長靴用保形具を提供しようとするものである。【解決手段】  シート材料からなり基本形状が概ねＴ字状をなす保形具本体１であって、その両翼に相当する第１の突っ張り部２及び第２の突っ張り部３を備えると共に、両翼の略中央に位置する中央部とこれから延びる高さ規制部４とが一体的に形成されており、前記第１及び第２の突っ張り部２、３には、この部分が反対面側に曲がり筒状に屈曲させるための折り線がそれぞれ設けられていることを特徴とする。【選択図】 図３
0003176437.tif 000002
【実用新案登録請求の範囲】
【請求項１】
シート材料からなり基本形状が概ねＴ字状をなす保形具本体であって、その両翼に相当する第１の突っ張り部及び第２の突っ張り部を備えると共に、両翼の略中央に位置する中央部とこれから延びる高さ規制部とが一体的に形成されており、前記第１及び第２の突っ張り部には、この部分がそれぞれ反対面側に曲がり筒状に屈曲させるための折り線が設けられていることを特徴とする長靴用保形具。
【請求項２】
突っ張り部に筒型の形状を一時的に保持させる手段を組込んだことを特徴とする請求項１記載の長靴用保形具。
【請求項３】
前記高さ規制部に、この部分を屈曲させるための折り線を設けたことを特徴とする請求項1又は２記載の長靴用保形具。
【考案の詳細な説明】
【技術分野】
【０００１】
本考案は、長靴やブーツのように筒の長さが高い履物の輸送中などに発生する型崩れを防止するための長靴用保形具に関するものである。
【背景技術】
【０００２】
ゴムからなる長靴や各種素材からなるブーツは、脚部に相当する筒部を備えているため、輸送中や展示の際などに筒部が撓んだり折れ曲がったりすることが起こり易く、これが商品価値を低下させることがあった。  
【０００３】
このため、古くからこの筒内に収納させて保形をする保形具が用いられている。例えば特許文献１に開示された長靴用保形芯は、ほぼ扇状の平板の一方縁に突片を、また他方縁には突片が係合する複数の透孔を設け、これを筒形に固定して長靴筒部に収納して用いるようになっている。
【０００４】
【特許文献１】実開昭６２−１６３０６号公報
【考案の開示】
【考案が解決しようとする課題】
【０００５】
ところが、上述した特許文献１の保形芯は、厚紙などで作られ円筒状に固定して使用するもので、長靴筒内を全周にわたり内側から保形するものである。しかし全周内側に保形芯が接してもこの形状を保持する支えがないため、外から力が加わったりすると保形芯が変形してしまい十分な保形が出来なくなってしまうことがあった。また、この保形芯一つでは筒部の高さが異なる長靴には使用できない面もあった。
このため最近は、長靴などの内容積に見合う形状に膨らませたプラスチックシート成形品を筒内に収納して用いることが採用されている。ところが、このようなプラスチックシート成形品からなる保形具は、保形効果は高いものの、成形設備や金型などの投資が必要となり、また使用後にプラスチック塵となるため、この回収、処分や再利用の問題が残ることが懸念されている。
【課題を解決するための手段】
【０００６】
本考案は、このような問題点を解消するため、この種履物筒部の頂部付近を内側からしっかりと突っ張るようにして保形効果を高めた保形具を提供しようとするもので、その要旨とすることは、シート材料からなり基本形状が概ねＴ字状をなす保形具本体であって、その両翼に相当する第１の突っ張り部及び第２の突っ張り部を備えると共に、両翼の略中央に位置する中央部とこれから延びる高さ規制部とが一体的に形成されており、前記第１及び第２の突っ張り部には、この部分がそれぞれ反対面側に曲がり筒状に屈曲させるための折り線が設けられていることを特徴とする長靴用保形具にある。
【０００７】
また本考案は、前記第１及び第２の突っ張り部に筒型の形状を一時的に保持させる手段を組込んだことを特徴とするものであり、さらに前記高さ規制部に、この部分を屈曲させるための折り線を設けたことを特徴とするものである。
【考案の効果】
【０００８】
本考案は、上述したような構成からなるものであるから、最終的に組み立てて使用する場合、筒状に賦形された第1及び第２の突っ張り部が保形具本体の反対面に形成され、頂面から見ると略Ｓ字状になって筒部頂部付近を内側から突っ張って支持することとなり、安定よく筒部形態を保形することができる利点を有している。
また第１及び第２の突っ張り部に筒形の形状を一時的に固定する手段を組込めば、一層突っ張りによる保形効果を安定させることができる。
さらに前記高さ規制部にこの部分を屈曲させるための折り線を設けておくと、高さ規制部材の高さの範囲内で屈曲させて用いて高さを調節することにより、これより筒の短い長靴等にも使用することができる利点がある。
【考案を実施するための最良の形態】
【０００９】
以下、本考案の実施形態を図面に基づいて説明する。
図１ないし図４は、本考案の一実施例を示すもので、組み立てる前の状態が図１に示されている。同図において１が保形具本体で、この両翼に相当する一方の片側に連接された２が第１の突っ張り部、３がこの対向位置に連接された第２の突っ張り部、４は両翼の略中央に位置する中央部から延びる高さ規制部を示している。
【００１０】
そして本考案の上記第１の突っ張り部２及び第２の突っ張り部３には、この部分が反対側に曲がり筒状に屈曲させるための山折りの折り線２Ａ、３Ａがそれぞれ設けられている。便宜上図においては、点線で示しているが、この線は実線で表示又は形成しても良い。また、シート材料がある程度の厚さのある例えばダンボールの場合には、折り曲げし易いように谷折りの凹み（同図において８本）を設けておくと便利である。  
【００１１】
以上のように構成された本考案の長靴保形具を使用するには、まず図２に示すように組み立てる。
すなわち先ず第１の突っ張り部１をその谷折りの折り線２Ａに沿って徐々に折り曲げ筒状になるようにさせると共に、同様にして第２の突っ張り部３も反対面に設けらた折り線３Ａ(図示略)に沿って筒状にし、それぞれの端縁に設けられている突片５、５を保形具本体１の中央部に設けてある孔６、６に嵌めこみ、この状態を一時的に固定させる。
【００１２】
次いでこのようにして組み立てた長靴保形具を、高さ規制部４から長靴の筒内に差し込みながら、図３のように押し込んで、最終的には保形具本体１の頂面が筒内に略収まるように収納させる。
この状態を頂面から見たのが図４の平面図で、第１の突っ張り片２および第２の突っ張り片３が長靴Ｂ内側に沿ってその前後方向に突っ張り、略Ｓ字状となって長靴Ｂの筒部を望ましい形状に保持させることができるようになる。しかもこの突っ張り部３，３保形具本体１は、曲線で長靴Ｂ野内面に当接しているため、尖っている箇所がなくこの部分を損傷させたり、長靴Ｂに皺や変形を発生させたりすることがなく、しかもこの部分は保形具本体を境にそれぞれ反対側に位置し、これが略Ｓ字状となっていることとあいまって、しっかりと安定性良く保形できると共に、その状態を長期に維持させることができる利点がある。
【００１３】
この例においては、第１の突っ張り部部２及び第２の突っ張り部３に、突片５と孔６とによるその形状を一次的に固定させる手段を組込んでいるが、使用する長靴によっては、細かな折り線を多数設けるなどしてこの手段を省略することも可能である。
また前記の保形具本体１の中央部に設けてある孔６、６の数をそれぞれ複数設けてそのうちの一つの孔を選択することによって、長靴の筒形状に合わせて屈曲させる突っ張り部の筒形状の大きさを変えることも可能である。  
【００１４】
図５及び図６に示すのは、本考案の別の実施例を示すものである。この例の長靴保形具は、図５の平面図に示すように基本的には前述の実施例と同様、１が保形具本体で、この両翼に相当する一方の片側に連接された２が第１の突っ張り部、３が第１の対向位置に連接された第２の突っ張り部、４は両翼の略中央に位置する中央部から延びる高さ規制部を示している。そしてこの例では高さ規制部４の中間から下方にかけて５本の谷折りのための折り線４Ａが設けられている。さらにこの例では、第１の突っ張り部２及び第２の突っ張り部３の上方位置に折り線４Ａに直交する互いに平行な２条の切り込み７が形成されている。
【００１５】
以上のように構成された長靴保形具を使用するには、上述した実施例の図２に示すと同様な要領で組み立てる。
すなわち先ず第１の突っ張り部２及び第２の突っ張り部３をその谷折りの折り線２Ａに沿って徐々に折り曲げ筒状になるようにさせると共に、同様に第２の突っ張り部３も反対面に設けている折り線３Ａ(図時略)に沿って筒状にし、それぞれに形成された２条の切込み７を山折りにして突出させる。このように切込み７の部分を山折りにして突出させるとこの部分に穴８が形成されるので、筒状の部分にストレッチ性や柔軟性をもたせることができ、適度な弾性を備え長靴内側からの保形に寄与することとなる。
さらにこの例の長靴保形具を使用するときには、高さ規制部４に設けられた谷折りの折り線４Ａに従って折り曲げてその高さを使用する長靴の筒の高さに略等しくなるように調節して、これを図６のように長靴の筒内に差し込み、最終的には上述の図４と同様に筒の高さと略等しくなるように押し込んで使用する。この状態は、先の実施例と同様頂面から見て略Ｓ字状をなすようにすることができる。  
【００１６】
この実施例では、高さ規制部４に設けた折り線４Ａを用いてその高さを調節することにより、その長さの範囲内でこれより短い筒の長靴にも適用させることができて便利である。
なおこの実施例においても、上述の実施例と同様図１に示すような突片及び孔を設けて、第１の突っ張り部２及び第２の突っ張り部３の筒状を一時的に固定させることも可能である。
【００１７】
本考案に使用するシート材料としては、簡単に入手できしかも容易に屈曲させることが可能な紙やプラスッチクシートが使用できるが、このうちダンボールを使用するときは、軽量で丈夫でありかつ適度の厚みを有していることから谷折り線が形成しやすく好ましいものである。
そして本考案では、図１や図５のように保形具本体１をシート材料から裁断機やプレス機を用いて形成することがで木、この平面状態でストックでき、使用の際に手作業により簡単に組み立てて使用できるため便利である。
【図面の簡単な説明】
【００１８】
【図１】本考案長靴保形具の一実施例の組み立てる前の状態を示す正面図である。
【図２】同じく長靴保形具を組み立てた状態を示す斜視図である。
【図３】図２の長靴保形具を長靴の筒部に差し込んでいる状態を示す斜視図である。
【図４】本考案の長靴保形具を長靴筒部に最終的に嵌めこんだ状態を示す平面図である。
【図５】本考案長靴保形具の別の実施例の組み立てる前の状態を示す正面図である。
【図６】図５の長靴保形具を組み立てて長靴の筒部に差し込んでいる状態を示す斜視図である。
【符号の説明】
【００１９】
１              保形具本体
２              第１の突っ張り部
２Ａ            折り線
３              第２の突っ張り部
３Ａ            折り線
４              高さ規制部
４Ａ            折り線
５              突片
６              孔
７              切込み
８              穴
【図１】
0003176437.tif 000003
【図２】
0003176437.tif 000004
【図３】
0003176437.tif 000005
【図４】
0003176437.tif 000006
【図５】
0003176437.tif 000007
【図６】
0003176437.tif 000008